(57)【要約】      （修正有）【課題】風防部材に透明導電膜を有しても、目立たず色味がない透明な風防部材を提供する。【解決手段】透明基材１の表面に必要な導電性を有する透明導電膜２のパターンを形成し、また、透明導電膜２の上部に反射防止膜１０を形成する。所定の波長領域において、反射防止膜１０の透過特性は、透明導電膜２の透過特性と逆の特性を示すようにした。これにより、透明導電膜２の透過特性を反射防止膜１０の透過特性で補正することができ、その透過特性を略平坦な透過特性にすることができた。これにより、透明導電膜２を設けても目立たず、色味もなくすことができた。【選択図】図１
2016090457.tif 000002
【特許請求の範囲】
【請求項１】
透明基材の表面に透明導電膜を有する光透過性を有する風防部材であって、
前記透明導電膜の上部に反射防止膜を有し、
前記透明導電膜と前記反射防止膜とは、波長の変化に伴い透過率が高低する透過特性をそれぞれ有し、
前記透明導電膜の前記透過特性と前記反射防止膜の前記透過特性とは、所定の波長領域で波長の変化に伴う透過率の高低が互いに逆となる透過特性を示すことを特徴とする風防部材。
【請求項２】
前記表面には、前記透明導電膜が配置されない空隙部を設け、
前記空隙部に、絶縁膜を設けることを特徴とする請求項１に記載の風防部材。
【請求項３】
前記絶縁膜は、前記透明導電膜と略同じ透過特性を有することを特徴とする請求項２に記載の風防部材。
【請求項４】
前記透明基材と前記透明導電膜との間に光学調整層を設けることを特徴とする請求項１から３のいずれか１つに記載の風防部材。
【請求項５】
前記光学調整層は、前記透明導電膜の屈折率と前記透明基材の屈折率との間で、
その屈折率が連続的に変化することを特徴とする請求項４に記載の風防部材。
【請求項６】
前記透明基材の裏面にも、透明導電膜を設けることを特徴とする請求項１から５のいずれか１つに記載の風防部材。
【請求項７】
前記表面に設ける前記透明導電膜と前記裏面に設ける前記透明導電膜とは、材質、膜厚、抵抗値のうち、少なくとも１つが互いに異なることを特徴とする請求項６に記載の風防部材。
【請求項８】
前記透明基材の裏面にも、反射防止膜を設けることを特徴とする請求項１から７のいずれか１つに記載の風防部材。
【請求項９】
前記表面に設ける反射防止膜と前記裏面に設ける反射防止膜とは、
互いに前記透過特性が異なることを特徴とする請求項８に記載の風防部材。
【発明の詳細な説明】
【技術分野】
【０００１】
本発明は、電子機器等の風防部材に関し、特に透明導電膜を備えた電子機器の風防部材に関する。
【背景技術】
【０００２】
ＧＰＳ（Ｇｌｏｂａｌ Ｐｏｓｉｔｉｏｎｉｎｇ Ｓｙｓｔｅｍ）衛星等を用いた衛星測位システムや標準電波等を用いた時刻修正システムを用いた電子機器は、その電波を受信するために、その電子機器の情報表示装置（例えば、液晶表示パネル）の風防部材に透明アンテナを設ける場合がある。
【０００３】
そのような風防部材は、腕時計などの分野においては、透明基材に透明アンテナとして機能する透明導電膜を備える構成が知られている。アンテナを透明にすることでその風防部材を用いてもアンテナ自体が目立たなくなるためである。そのような技術を用いる背景としては、腕時計は、時刻を報知する装置としてだけでなく装飾品としての役割があるためである。
【０００４】
このように、腕時計の分野においては、その風防部材には導電性と透明性とを生かす必要があって、それぞれの用途に応じて、必要な導電性と必要な透明性（見栄え）とを両立させる必要がある。このような要求に対しては多くの提案を見るものである（例えば、特許文献１参照。）。
【０００５】
特許文献１に示した従来技術は、透明基板の表面に透明な導電性酸化物の薄膜（アンテナに相当）を所定の間隔で配置し、その間にできた絶縁性空間に誘電性材料を設けている。また、その薄膜の下部に中間層を設ける構成が開示されている。この中間層は、透明基板にプラスチック材料等を用いたとき、温度上昇による導電性酸化膜の劣化を防ぐために設けるものである。そして、その薄膜の保護層として反射防止性を有する保護薄膜が設けられている。
【０００６】
特許文献１に示した従来技術は、このような構成とすることでアンテナに相当する薄膜が目立たないようにしている。
【０００７】
ところで、風防部材の表面には、その反射防止を行う技術としていわゆる反射防止膜を備える場合が知られている。反射防止膜には多くの提案があるが、例えば、図１０に示した構成が良く知られるところである。
【０００８】
図１０は、多層膜構成による反射防止膜の例である。図１０（ａ）は構成例を示し、図１０（ｂ）は反射防止膜を構成する各層ごとの透過率の違いを模式的に示した図である。
図１０（ａ）に示した反射防止膜８０は、基板８３の表面に、誘電体層８２、誘電体層８１の順に形成してなる。誘電体層８２は略１／４波長厚で高屈折率層とし、誘電体層８１は略１／４波長厚で低屈折率層となっている。空気層９０側から入射した光Ｐは、各層の界面で反射が起きてそれぞれ反射光８１ａ、８２ｂ、８３ｃが発生する。
【０００９】
図１０（ｂ）に示すように、各反射光８１ａ、８２ｂ、８３ｃはそれぞれ異なる反射の振る舞いを示すが、これら３つの反射光が合成すると合成波８５となる。合成波８５は、各反射光８１ａ、８２ｂ、８３ｃの透過率の違いが互いに相殺され、フラットな特性となる。これにより、風防部材は、視覚的には反射が防止されることになる。
【００１０】
このように反射防止膜８０を反射特性の異なる２層の誘電体層の構成とすることで、反射防止の機能を持つ膜を得ることができる。また、用途によって単層または３層以上複数の構成でも可能である。
【００１１】
特許文献１に示した従来技術は、上述の通り、透明基板の表面に設けた透明な導電性酸化物の薄膜の上部に反射防止性を有する保護薄膜が設けられている。この保護薄膜が上述の反射防止膜８０に相当するため、導電性酸化物を目立たなくさせている。
【先行技術文献】
【特許文献】
【００１２】
【特許文献１】特許第４６４７９２１号公報（第５頁−６頁、図４、図５）
【発明の概要】
【発明が解決しようとする課題】
【００１３】
しかしながら、特許文献１に示した従来技術では、アンテナに相当する透明な導電性酸化物の薄膜によっては、風防部材の見栄えが大きく悪化してしまうという問題がある。
【００１４】
導電性酸化物の薄膜をアンテナとして用いるとき、受信したい電波の周波数によりその抵抗率を変える必要がある。その際、可視光の波長領域において比較的短い波長領域の透過率が減少し、結果として風防部材に色味が付いてしまうのである。
【００１５】
特許文献１に示した従来技術は、透明基板に設けたアンテナとして機能する薄膜を目立たなくする技術ではあるが、風防部材に付いてしまう色味を解消することはできない。
【００１６】
もちろん、図１０に示した一般的な反射防止膜を特許文献１に示した従来技術に適用しても、色味を解消することはできない。
【００１７】
そこで、本発明の目的は、上記問題点を解決しようとするものであり、風防部材に透明導電膜を有しても、目立たず色味がない風防部材を提供する。
【課題を解決するための手段】
【００１８】
本発明における透明導電膜を備えた風防部材の構成は以下の通りである。
【００１９】
透明基材の表面に透明導電膜を有する光透過性を有する風防部材であって、透明導電膜の上部に反射防止膜を有し、透明導電膜と反射防止膜とは、波長の変化に伴い透過率が高低する透過特性をそれぞれ有し、透明導電膜の透過特性と反射防止膜の透過特性とは、所定の波長領域で波長の変化に伴う透過率の高低が互いに逆となる透過特性を示すことを特徴とする。
【００２０】
これにより、可視光領域において反射防止膜の透過特性が透明導電膜の透過特性を補正し、略平坦な透過特性にすることができる。
この結果、必要な導電性を持ち、目立たない透明導電膜を備え、所定の波長領域で色味がない風防部材を提供することができる。
【００２１】
また、表面には、透明導電膜が配置されない空隙部を設け、空隙部に絶縁膜を設けるようにしてもよい。
【００２２】
これにより、透明基材の表面と透明導電膜との段差をなくし、透明導電膜の輪郭を見え難くすることができる。
【００２３】
また、絶縁膜は、透明導電膜と略同じ透過特性を有するようにしてもよい。
【００２４】
これにより、透明導電膜と絶縁膜は略同じ透過特性となり、反射防止膜は、透明導電膜と絶縁膜とに対して略同等の補正効果を与えることができる。この結果、透明導電膜と絶縁膜とを見え難くすることができる。
【００２５】
また、透明基材と透明導電膜との間に光学調整層を設けるようにしてもよい。
【００２６】
これにより、透明導電膜と透明基材との間で起きる反射を抑制することができる。この結果、光の透過率が向上して透明導電膜をより見え難くすることができる。
【００２７】
また、光学調整層は、透明導電膜の屈折率と透明基材の屈折率との間で、その屈折率が連続的に変化するようにしてもよい。
【００２８】
これにより、透明導電膜と透明基材間の界面で起きる反射を好適に抑制することができる。この結果、光の透過率が向上して透明導電膜をより見え難くすることができる。
【００２９】
また、透明基材の裏面にも、透明導電膜を設けるようにしてもよい。
【００３０】
これにより、透明基材の裏面の透明導電膜を別の用途に使用できる。例えば、風防部材をケース等に収納した場合に、人体等に影響されないＧＮＤ（接地）電位を供給する配線に用いることができる。この結果、良好な受信部を構成できる。
【００３１】
また、表面に設ける透明導電膜と裏面に設ける透明導電膜とは、材質、膜厚、抵抗値のうち、少なくとも１つが互いに異なるようにしてもよい。
【００３２】
これにより、表面に設ける透明導電膜と裏面に設ける透明導電膜の導電性能を、その機能に合わせて適宜選択することができる。
【００３３】
また、透明基材の裏面にも、反射防止膜を設けるようにしてもよい。
【００３４】
これにより、透明基材の裏面側における透明導電膜の透過特性を補正し色味をなくすことができる。この結果、裏面に設けた透明導電膜も見え難くすることができる。
【００３５】
また、表面に設ける反射防止膜と裏面に設ける反射防止膜とは、互いに透過特性が異なるようにしても良い。
【００３６】
これにより、表面に設ける透明導電膜と裏面に設ける透明導電膜とに対して、それぞれに好適な透過特性を有する反射防止膜を設けることができるので、両方の透明導電膜をより見え難くすることができる。
【発明の効果】
【００３７】
本発明は、可視光領域において透明導電膜を目立たなくさせることができると共に色味が無く透明な風防部材とすることができる。
【００３８】
したがって、アンテナを用いた腕時計等の製品で装飾性を有し特に見栄えを重要視される製品分野において、風防部材の表面に十分な受信感度を得られるよう面積の大きな透明導電膜を確保しても、アンテナとしての導電性と透明性を両立できる。
【図面の簡単な説明】
【００３９】
【図１】風防部材の第１の実施形態の第１の構成例を示す平面図及び断面図である。
【図２】風防部材の第１の実施形態の第１の構成例における透過特性を説明するグラフである。
【図３】風防部材の第１の実施形態の第２、第３の構成例を示す平面図及び断面図である。
【図４】風防部材の第１の実施形態の第４の構成例を示す断面図である。
【図５】風防部材の第２の実施形態の第１の構成例を示す断面図である。
【図６】風防部材の第２の実施形態の第２の構成例を示す断面図である。
【図７】透明導電膜のパターン例を説明する平面図である。
【図８】風防部材の電子機器への応用例を説明する断面図であって、指針を用いた腕時計に応用した例である。
【図９】風防部材の電子機器への応用例を説明する断面図であって、携帯型情報機器に応用した例である。
【図１０】一般的な反射防止膜の構成例と動作例とを説明する断面図及び波形図である。
【発明を実施するための形態】
【００４０】
以下、図面に基づいて本発明の実施形態を詳述する。
ただし、以下に示す実施形態は、本発明の思想を具体化するための風防部材を例示するものであって、本発明は以下に説明する構成に特定するものではない。特に実施形態に記載されている構成部材の材質、形状、その相対的配置等は特定的な記載がない限りは本発明の範囲をそれのみに限定する趣旨ではなく説明例に過ぎない。また、各図面が示す部材の大きさや位置関係等は説明をわかりやすくするために誇張していることがある。
【００４１】
本発明は、所定の波長領域（例えば、可視光の波長領域）において、透明導電膜の色味をなくし、透明な風防部材を提供しようとするものであり、腕時計等の製品で装飾性を有し特に見栄えを重要視される製品分野において、面積の大きな透明導電膜を確保しても、透明導電膜を事実上殆ど見えないようにするものである。
【００４２】
このような、風防部材を実現する手段として、例えば、低抵抗になると短波長側で透過率が減少する透明導電膜の透過特性を、反射防止膜が持つ逆の透過特性、すなわち、低抵抗になると短波長側で透過率が増加する透過特性によって補正し色味をなくしている。
【００４３】
つまり、所定の波長領域で、透明導電膜の透過率の高低と反射防止膜の透過率の高低とが、互いに逆となる透過特性となっている。これにより、双方の透過特性を合成した透過特性は、所定の波長領域でフラットになり、特定の色味が発生しないのである。
【００４４】
以下、図面を用いて風防部材を詳述する。
説明にあっては、同一要素には同一番号を付し重複する説明は省略するものとする。また、発明に関係のない部分は省略している。
【００４５】
まず、図１〜図４を用いて第１の実施形態を説明し、次に、図５、図６を用いて第２の実施形態を説明する。
第１の実施形態には、透明基材の表面に設ける透明導電膜、反射防止膜、光学調整層の構成に係る４つの構成例がありそれぞれ説明する。
また、第２の実施形態には、透明基材の裏面に設ける透明導電膜、反射防止膜に係る２つの構成例がありそれぞれ説明する。
【００４６】
また、図７を用いて第１の実施形態、第２の実施形態に係る透明導電膜のその他のパターン例を説明し、図８、図９を用いて第２の実施形態の風防部材の応用例を２つ説明する
。
【００４７】
［第１の実施形態の第１の構成例の説明：図１〜図２］
まず、図１〜図２を用いて第１の実施形態の第１の構成例の風防部材２０を説明する。
図１（ａ）は、防風部材２０の平面図を示し、図１（ｂ）は、図１（ａ）に示す切断線Ａ−Ａ´における断面図を示している。図２は、図１に示す風防部材２０の可視光領域における透過特性のグラフを示す。
【００４８】
第１の実施形態の第１の構成例の風防部材２０の特徴は、透明基材の表面に透明導電膜を形成しその上部に反射防止膜を形成したものである。そして、その反射防止膜は、透明導電膜とは逆の透過特性を備えている。
【００４９】
［構成の説明：図１〜図２］
図１において、透明基材１は、ガラス又はポリカーボネート等のプラスチック材料などを用い、例えば平面視で円板状に形成している。この形状は一例である。例えば、防風部材２０を時計の風防ガラスとすれば、周辺部にカット面を有したり、全体の形状を時計の外装形状に合わせて様々に変更ができる。
【００５０】
透明導電膜２は、透明基材１の表面に形成している。
透明導電膜２は、例えばインジウムスズ酸化物（ＩＴＯ）、亜鉛酸化物、酸化スズなどの導電性材料からなり、図示しない真空蒸着法やスパッタリング法などの知られている製造方法を用いて透明基材１の表面に形成することができる。
【００５１】
なお、透明導電膜２はその外周の一部に図示しない電極部を有し、そこから図示しない回路部へ電気的に接続できるようになっている。これは透明導電膜２をアンテナとすれば、回路部はその制御回路であり、電極部はその回路部と接続する端子となる。しかし、電極部や回路部は本発明の説明には関係がないので説明を省略する。
また、以下に説明する他の実施形態においても透明導電膜と回路部との接続については同様に図示及び説明を省略するものとする。
【００５２】
透明導電膜２のパターンは、透明導電膜２をアンテナとすれば、例えばＧＰＳ衛星等を用いた衛星測位システムや標準電波等を用いた時刻修正システム用の電波を受信するアンテナとなる。これらの電波を受信するために、透明基材１の面積に対して適する大きさで形成している。すなわち、受信する電波の周波数に応じてその面積や形状を変えている。図１に示す例では、透明導電膜２は、透明基材１の外径よりもやや小さい、平面視で円形の形状を有している。なお、この形状はもちろん一例である。
【００５３】
反射防止膜１０は、透明導電膜２の表面に形成している。
反射防止膜１０は、例えばＭｇＦ2などのフッ化物、ＳｉＯ2などの酸化物などの誘電性材料からなり、図示しない真空蒸着法やスパッタリング法などの知られている製造方法を用いて製造することができる。
【００５４】
これにより、風防部材２０を構成している。なお、以下に説明する他の実施形態においても透明導電膜、反射防止膜等の膜の製造方法は同様である。
【００５５】
次に、図２を用いて透明導電膜２の可視光領域における透過特性について説明する。
図２は透明導電膜２の透過特性を説明するグラフであり、縦軸は透過率、横軸は波長を示している。
【００５６】
符号４０は、透明導電膜２の一般的な例として例示する透過特性であり、図中には実線
で示している。
透明導電膜２の透過特性４０は、可視光の波長領域Ｗ（例えば、約３８０ｎｍ〜約７８０ｎｍ）では、比較的短い波長領域Ｗ１の透過率が低く、比較的長い波長領域Ｗ２では透過率が高い特性を示している。
【００５７】
符号４１は、反射防止膜１０の透過特性であり、図中には実線で示している。
反射防止膜１０は、可視光の波長領域Ｗにおいて、透明導電膜２の透過特性４０とは逆の特性を有している。すなわち、透過特性４１は、比較的短い波長領域Ｗ１の透過率が高く、比較的長い波長領域Ｗ２では透過率が低い特性になっている。
【００５８】
符号４２は、透過特性４１と透過特性４０とが合成された透過特性であり、図中には点線で示している。
【００５９】
［光の透過動作の説明：図１、図２］
次に、図１、図２を用いて風防部材２０の光の透過動作について説明する。
なお、入射する光は、図１（ｂ）の上方、反射防止膜１０の上部から入射するものとする。
反射防止膜１０は、透過特性４１を有しており、すでに説明したように、比較的短い波長領域Ｗ１では、光を透過し易くなっている。
【００６０】
反射防止膜１０に入射した可視光領域の各波長の光は、若干の反射をしながら大半は透明導電膜２に到達し、入射する。反射防止膜１０は比較的短い波長領域Ｗ１の光を透過し易くしてあるので、青色系の光が多めに透過することになる。
【００６１】
光が透明導電膜２を透過すると、透明導電膜２の透過特性４０は、すでに説明しているように、比較的短い波長領域Ｗ１の光を透過し難くなっているので、青色系の光は逆に透過し難くなる。このため、青色系の光の透過が制限され補正される。
【００６２】
同様に他の波長領域においても、反射防止膜１０の透過特性４１と透明導電膜２の透過特性４０とが合成される。その様子を示すのが、透過特性４２である。
【００６３】
図２に示すように、合成された透過特性４２は、可視光の波長領域Ｗにおいて透過率がフラットな特性となる。すなわち、上述のような反射防止膜１０を設けることで、透明基材１の上部に透明導電膜２を設けても、目立たなくなり、この反射防止膜１０の透過特性を透明導電膜２の透過特性と逆の特性とすることにより、透明導電膜が有する固有の色味が解消され、透明な風防部材２０とすることができるのである。
【００６４】
また、風防部材２０が組み込まれる腕時計や電子機器などの仕様により、透明導電膜２の材質、膜厚、抵抗値が変わることで透過特性が変わっても、同様の方法によって反射防止膜１０の透過特性を合わせ込むことができるので、色味をなくすことができる。
【００６５】
なお、以上説明した透明基材の形状は円形としたが、これに限定されず三角形、四角形または多角形でもよく、また、透明基材の表面、裏面はレンズのように曲面を有していても良い。
【００６６】
［反射防止膜の形成の説明］
次に、反射防止膜１０をどのように形成するかを説明する。
まず、透明基材１を用意し、透過特性４０を有する所定の透明導電膜２を形成する。そして、特定の波長の反射を減らすのに有効な誘電体材料ａを選定する。
この透明導電膜２の上に、選定した誘電体材料ａを所定の膜厚で形成し、誘電体層ａと
する。
【００６７】
この状態で透過特性ａを測定する。この透過特性ａが透明導電膜２の透過特性４０と逆の透過特性となれば、この誘電体層ａが上述の反射防止膜１０となる。つまり、単層の膜である。そして、透過特性ａが透過特性４１となる。
【００６８】
反射防止膜１０を、すでに説明した一般的な多層膜構成とすることもできる。
例えば、上述の誘電体材料ａによる誘電体層ａが、所望の透過特性とならない場合である。その場合は、誘電体材料ａを選定した後、さらに別の誘電体材料ｂを選定する。
【００６９】
そして、透明導電膜２の上に形成した誘電体材料ａからなる誘電体層ａの上に、別途選定した誘電体材料ｂを所定の膜厚で形成し、誘電体層ｂとする。
【００７０】
そして、その状態で透過特性ｂを測定する。この透過特性ｂが透明導電膜２の透過特性４０と逆の透過特性となれば、誘電体層ａと誘電体層ｂとで構成した膜が上述の反射防止膜１０となる。つまり、積層膜である。そして、透過特性ａと透過特性ｂとからなる透過特性が透過特性４１となる。
【００７１】
このように反射防止膜１０は、可視光の波長領域Ｗにおいて、その透過特性４１が透明導電膜２の透過特性４０とは逆の特性を有するように、誘電体材料を選定し、その膜厚も選定して形成するのである。
【００７２】
以上の説明では、透過特性ａを有する誘電体材料ａを用いる場合と、この誘電体材料ａに透過特性ｂを有する誘電体材料ｂを積層する場合と、の２例を説明した。しかし、もちろんこれに限定しない。
【００７３】
例えば、誘電体材料ａ、誘電体材料ｂを繰り返し積層してもよく、また他に透過特性ｃを有する誘電体材料ｃを選定し、所定の膜厚で、誘電体材料ａと誘電体材料ｂとからなる積層膜の上部にさらに積層してもよいことは無論である。
【００７４】
上述の反射防止膜１０の形成は、風防部材２０を形成する工程において、所定の透過特性を有する誘電体材料を選定する手法であるが、もちろん、事前に誘電体材料を選定しておいてもかまわない。
【００７５】
すなわち、透明基材１と同等の実験用透明基材を用意する。そして、その表面に透過特性４０を有する透明導電膜２と同じ材質及び膜厚の導電膜を形成する。この導電膜の上部に誘電体材料ａや誘電体材料ｂ、又はこれらを積層した積層膜や、誘電体材料ｃなどを設けてその透過特性を測定する実験を事前に実施しておくのである。
【００７６】
また、上記実験から得られた結果を基にするなどし、公知の手段を用いてシミュレーションを行い、どのような誘電体材料をどのような膜厚で形成するのがよいかなどを事前に調べておくようにしてもよい。
【００７７】
上述のように、予め実験等を行うことで、反射防止膜１０の形成にあって、誘電体材料の選択や、その膜厚の選択をすぐさま行えるので、風防部材の製造に掛る時間を短縮できて便利である。
【００７８】
なお、特に限定はしないが、透明導電膜２に用いる主な導電性材料をあげておく。例えば、ＩＴＯ、Ｉｎ2Ｏ3、ＳｎＯ2、ＺｎＯである。
また、特に限定はしないが、反射防止膜１０に用いる主な誘電性材料は、ＭｇＦ2、Ｓ
ｉＯ2、ＴｉＯ2，Ａｌ2Ｏ3、ＺｒＯ2である。
【００７９】
さらにまた、透明導電膜、反射防止膜を形成する製造工程は、説明した例に限定されず、目的を同一とする他の製造工程を用いてもよいことは無論である。
【００８０】
なお、反射防止膜１０と透明導電膜２とは、接して形成する方が好ましい。
透明導電膜２の膜厚や材質にもよるが、透明導電膜２の表面が空気に触れていると、その表面は空気との屈折率の違いにより光の散乱が発生する。透明導電膜２の表面において散乱光が多すぎると、透明導電膜２と接しない箇所に反射防止膜１０を設けても透明導電膜２が目立ってしまうからである。
【００８１】
そのような光の散乱を防止するためには、透明導電膜２の表面の空気と触れる面に、公知の散乱防止用の膜を設けるようにすればよい。例えば、図示はしないが、透明基材１を挟み、その表面に反射防止膜１０を、その裏面に透明導電膜２を設け、さらに透明導電膜２が空気と触れる面にその散乱防止用の膜を設けるのである。
【００８２】
透明基材１の裏面に設ける透明導電膜２の表面に散乱防止用の膜を設けることで、透明基材１の表面から見たときの透過率が変化する。透明基材１の表面に設ける反射防止膜１０は、この散乱防止用の膜を設けたことによって変化する透過特性を補正するような透過特性を有するようにする。そうすれば、透明な風防部材２０とすることができるのである。
【００８３】
［第１の実施形態の第２、第３の構成例の説明：図３］
次に、図３を用いて第１の実施形態の第２の構成例の風防部材２１及び第３の構成例の風防部材２２を説明する。
第１の実施形態の第２の構成例の風防部材２１は、透明導電膜３を所定のパターン形状にするため、透明導電膜３に空隙部１５を設ける例である。第３の構成例の風防部材２２は、その空隙部１５を絶縁膜１６で埋める例である。
【００８４】
図３（ａ）は、第２の構成例の風防部材２１及び第３の構成例の風防部材２２を説明する平面図である。第２の構成例の風防部材２１と第３の構成例の風防部材２２とは、その平面視での形状がほぼ同じであるから、図３（ａ）を２つの構成例の共通の平面図として用いることにする。
【００８５】
図３（ｂ）は、図３（ａ）の切断線Ｂ−Ｂ´における、第２の構成例の風防部材２１の断面図である。図３（ｃ）は、図３（ａ）の切断線Ｃ−Ｃ´における、第３の構成例の風防部材２２の断面図である。
【００８６】
第２の構成例の風防部材２１は、図３（ｂ）に示すように、透明基材１の表面に設けた透明導電膜３に空隙部１５を有している。この空隙部１５は、図３（ａ）に示すように、透明導電膜３の略中央部に２ヶ所の切れ込みパターンを形成するために設けるものである。
透明導電膜３の形状をこのようにする理由は、例えば、アンテナとしての長さが必要になる場合など、風防部材２１が搭載される腕時計や電子機器の仕様によるものである。このため、図示した形状は一例である。
【００８７】
図３（ｂ）に示すように、反射防止膜１０は、透明導電膜３に設ける切れ込みである空隙部１５にも入り込んでいる。このように、透明導電膜３をアンテナとして用いるとき、空隙部１５の形状を選択するだけで、アンテナ形状を変えることができる。
【００８８】
第３の構成例の風防部材２２は、図３（ｃ）に示すように、透明基材１の表面に設けた透明導電膜３に設けた空隙部１５を絶縁膜１６で埋めている。このような構成にする理由は、空隙部１５を目立たなくさせるためである。
【００８９】
上述のように、透明導電膜３に空隙部１５を設け、例えばアンテナとして所定の長さが必要になったとき、反射防止膜１０を設けたとしても、空隙部１５における透明導電膜３の角部などが目立ってしまうことがある。そのような場合であっても、図３（ｃ）に示すように空隙部１５を絶縁膜１６で埋めることにより、目立たなくさせることができる。これは、特に風防部材２２を腕時計に用いた場合に効果的である。
【００９０】
風防部材２２の絶縁膜１６は、例えばＭｇＦ2などのフッ化物、ＳｉＯ2やＴｉＯ2、Ａｌ2Ｏ3、ＺｒＯ2などの酸化物などの誘電性材料を用いて形成することができる。また、絶縁膜１６は、透明導電膜３と略同じ透過特性を有するようにすれば、より見え難くすることができ、なお良い。さらにまた、絶縁膜１６は、図示はしないが反射防止膜１０と同様に多層膜によって構成しても良い。
【００９１】
第２の構成例の風防部材２１と第３の構成例の風防部材２２とは、空隙部１５を埋める絶縁膜１６の有無が違いになるが、すでに説明した第１の構成例の風防部材２０と同様に、反射防止膜１０によって透明導電膜３の透過特性を補正している。この結果、風防部材２１及び風防部材２２は、どちらも色味が解消され、透明導電膜３が見え難い風防部材とすることができる。
【００９２】
［第１の実施形態の第４の構成例の説明：図４］
次に、図４を用いて第１の実施形態の第４の構成例の風防部材２３を説明する。
第１の実施形態の第４の構成例の特徴は、風防部材２３を構成する透明導電膜３と透明基材１との間に光学調整層１７を設けた点である。
【００９３】
説明にあっては、すでに説明した第３の構成例に光学調整層１７を設ける例で説明する。
図４は、風防部材２３を説明する断面図である。この断面図は、図３（ａ）に示す第１の実施形態の第２の構成例及び第３の構成例で説明した図３（ｂ）、図３（ｃ）と同じ方向から見た断面図である。
【００９４】
図４に示すように、光学調整層１７は、透明基材１と透明導電膜３との間に設けており、フッ化物や酸化物などの誘電性材料を用いて形成されている。なお、光学調整層１７は多層構造にして屈折率が連続的に変化するようにしても良い。
【００９５】
これにより、透明基材１と透明導電膜３との間に屈折率の差が有っても光学調整層１７によって屈折率の差を緩和して透明基材１と透明導電膜３との界面で発生する反射を抑制することができる。この結果、透明導電膜をより見え難くすることができる。
【００９６】
光学調整層１７に用いる主な誘電性材料は、特に限定するものではないが、例えば、ＭｇＦ2などのフッ化物、ＳｉＯ2、ＴｉＯ2，Ａｌ2Ｏ3、ＺｒＯ2などの酸化物を用いることができる。
【００９７】
［第２の実施形態の第１の構成例の説明：図５］
次に、図５を用いて第２の実施形態の第１の構成例の風防部材２４を説明する。
第２の実施形態の第１の構成例の特徴は、風防部材２４を構成する透明基材１の裏面にも透明導電膜４を設けた点である。また、裏面の透明導電膜４は上面の透明導電膜３に比べて変えている。説明する例では、その膜厚を厚くしている。
【００９８】
説明にあっては、図４を用いて説明した第１の実施形態の第４の構成例に透明導電膜４を設ける例で説明する。
図５は、風防部材２４を説明する断面図である。この断面図は、図３（ａ）に示す第１の実施形態の第２の構成例及び第３の構成例で説明した図３（ｂ）、図３（ｃ）、第１の実施形態の第４の構成例で説明した図４と同じ方向から見た断面図である。
【００９９】
透明導電膜４は、透明基材１の裏面、つまり、透明基材１において透明導電膜３を設けていない側に配置されている。透明導電膜４は、透明基材１を挟み透明導電膜３と対向するように、そして図示はしないがそのサイズも透明導電膜３と略同じ大きさで形成している。
【０１００】
透明導電膜４は、特に限定しないが、例えば、インジウムスズ酸化物（ＩＴＯ）、亜鉛酸化物、酸化スズなどの導電性材料を用いて形成する。
【０１０１】
透明基材１の裏面に透明導電膜４を設けることで、この透明導電膜４が有する透過特性により、透明基材１の表面から見たときの透過率が変化する。反射防止膜１０は、この透明導電膜４を設けたことによって変化する透過特性を補正し、可視光の波長領域においてフラットな特性とし、色味のない風防部材２４とすることができる。
【０１０２】
すでに説明した図２を用いて説明すると、図２に示す透過特性４０が、この第２の実施形態の第１の構成例における透明導電膜３と透明導電膜４とを合わせた透過特性に該当し、同様に、図２における透過特性４１が、この実施形態における反射防止膜１０の透過特性に該当する。
反射防止膜１０の材質や膜厚、積層数などを変えることで、透明導電膜４を有することにより変化した透過特性を補正し、フラットな透過特性４２を得るのである。
【０１０３】
ところで、腕時計に例えばＧＰＳ衛星等を用いた衛星測位システムや標準電波等を用いた時刻修正システムを搭載するとき、従来は、腕時計の金属ケースや金属バンドをＧＮＤ（接地電位）として使用することが多かった。しかし腕時計を腕に装着した場合、金属ケースや金属バンドは人体の影響を受けて電気的にＧＮＤの電位が安定しないという問題があった。
【０１０４】
図５に示す風防部材２４の透明導電膜３をアンテナとすれば、例えばＧＰＳ衛星等からの電波や標準電波を受信するアンテナとすることができ、そのような風防部材２４を腕時計に用いたとき、風防部材２４を構成する透明基材１の裏面側に設けた透明導電膜４を、ＧＮＤとして使うことができる。
【０１０５】
風防部材２４が金属ケースや金属バンドを有する腕時計に装着されても、透明導電膜４は透明基材１の裏面に設けているから、その金属ケースや金属バンドと接することはない。すなわち、透明導電膜４は金属ケースにかかる人体の影響を受けず、安定したＧＮＤの電位を得ることができる。
【０１０６】
すなわち、風防部材２４にアンテナの機能を持たせたとき、透明導電膜３は電波を受信する電極となり、透明導電膜４がＧＮＤとなるから、この風防部材２４がどのような材質からなる腕時計に搭載しても、この風防部材２４だけでアンテナとしての機能を構成できるのである。
【０１０７】
また、透明導電膜３と透明導電膜４とは、それぞれ材質、膜厚、抵抗値を選択することができる。例えば、透明導電膜３はアンテナの性能に鑑みて適する膜厚を選択し、透明導
電膜４は、その膜厚を厚くして導電性を良くすることによって、ＧＮＤの電位をより安定にすることができる。
【０１０８】
もちろん、透明導電膜４を透明導電膜３に比べて薄くしてもよい。そうすることによって、透過率を上げることができる。このように、どのような膜厚を選択するかは、風防部材を用いる腕時計などの仕様や形態によって自由に選択できる。
【０１０９】
このように、透明基材１の裏面側に透明導電膜４を設けることで、これをＧＮＤとして利用でき、風防部材２４を搭載する腕時計等のケースに別途ＧＮＤの電位を供給する部材を設ける必要がなくなった。
【０１１０】
すでに説明したように、腕時計に例えばＧＰＳ衛星等を用いた衛星測位システムや標準電波等を用いた時刻修正システムを搭載する場合、従来は、腕時計を金属ケースや金属バンドで構成する必要があったが、その必要はなく、腕時計を非金属のケースで構成することができるようになった。したがって、軽量な腕時計とすることができる。
【０１１１】
［第２の実施形態の第２の構成例の説明：図６］
次に、図６を用いて第２の実施形態の第２の構成例の風防部材２５を説明する。
第２の実施形態の第２の構成例の特徴は、風防部材２５を構成する透明基材１の裏面に設けている透明導電膜４の表面にも反射防止膜１１を設けた点である。
【０１１２】
説明にあっては、図５を用いて説明した第２の実施形態の第１の構成例に反射防止膜１１を設ける例で説明する。
図６は、風防部材２５を説明する断面図である。この断面図は、図３（ａ）に示す第１の実施形態の第２の構成例及び第３の構成例で説明した図３（ｂ）、図３（ｃ）、第１の実施形態の第４の構成例で説明した図４、第２の実施形態の第１の構成例で説明した図５と同じ方向から見た断面図である。
【０１１３】
反射防止膜１１は、透明基材１の裏面側に設けている透明導電膜４の表面に形成している。反射防止膜１１は、透明基材１の表面側に設けた反射防止膜１０に対して、同様の材質、膜厚、抵抗値としてもよく、それぞれ異なるようにしてもよい。
【０１１４】
しかし、透明導電膜４が有する固有の色味のため、風防部材２５の透明性が変わってしまうときは、可視光領域において透明導電膜４の透過特性を反射防止膜１１の透過特性が補正するようにすることで、色味のない風防部材２５とすることができる。
【０１１５】
このように、透明基材１の裏面側で独立して色味を補正することができるが、透明基材１の表面に設ける透明導電膜３の透過特性を反射防止膜１０の透過特性で補正しているため、風防部材２５全体としての透明性を有するようにする必要がある。つまり、透明導電膜４の色味を補正する反射防止膜１１を設けたことにより、透明基材１の表面側から見たときに色味が付いてしまう場合は、反射防止膜１０によりその色味を補正するようにしてもよい。
【０１１６】
なお、図示はしないが、透明基材１と透明導電膜４との間に、光学調整層１７と同等の機能を有する光学調整層をさらに設けてもよい。
新たに設けるこの光学調整層により、透明基材１と透明導電膜４との間に屈折率の差が有っても、その屈折率の差を緩和して透明基材１と透明導電膜４との界面で発生する反射を抑制することができる。
【０１１７】
［透明導電膜のパターン例の説明：図７］
次に、図７を用いて透明導電膜のパターン例を説明する。
すでに説明したように、風防部材の透明導電膜を、例えばＧＰＳ衛星等からの電波や標準電波を受信するアンテナとするとき、透明導電膜は、受信したい電波の周波数によりそのパターン形状を決めることができる。また、透明導電膜を電気信号の配線、例えばタッチパネルの信号電極とするときは、配線やタッチパネルの形状に鑑みてそのパターン形状を変えることができる。
【０１１８】
図７（ａ）〜図７（ｃ）は、透明基材に形成した透明導電膜のパターン形状を示す平面図である。なお、図７は説明に必要のない部分は省略している。
図７（ａ）は、４本の切り欠き（空隙部）を有する透明導電膜３０を示しており、その切り欠きは絶縁膜１６０で埋めている。
【０１１９】
図７（ｂ）は、８本のストライプ状の空隙部有する透明導電膜３１を示しており、それら空隙部は絶縁膜１６１で埋めている。透明導電膜３１は絶縁膜１６１により平面視で縦に８箇所に分割された形状となっている。
【０１２０】
そして、図７（ｃ）は、３本のリング状の空隙部有する透明導電膜３２を示しており、それら空隙部は絶縁膜１６２で埋めている。透明導電膜３２は絶縁膜１６２により平面視で同心円状に３箇所に分割された形状となっている。
【０１２１】
図７（ａ）〜図７（ｃ）に例示した形状は一例であり、透明導電膜のパターン形状は、自由に変更が可能である。例えば、タッチパネルを目的としてスイッチパターンのマトリックス電極のための形状としてもよい。
【０１２２】
絶縁膜１６０、１６１、１６２は、すでに説明した第１の実施形態の第２の構成例などと同様に、例えばＭｇＦ2などのフッ化物、ＳｉＯ2やＴｉＯ2、Ａｌ2Ｏ3、ＺｒＯ2などの酸化物などの誘電性材料を用いて形成することができる。透明導電膜３０、３１、３２と略同じ透過特性を有するようにすれば、より目立たなくなることも同様である。
【０１２３】
［風防部材の応用例の説明：図８、図９］
次に、風防部材の電子機器への応用例を説明する。
説明にあっては、風防部材を腕時計に計時手段に指針を用いた腕時計に応用した例を、図８を用いて説明する。また、風防部材を携帯型情報機器に応用した例を、図９を用いて説明する。図８、図９は腕時計と携帯型電子機器との断面の様子を模式的に示した断面図である。
【０１２４】
［腕時計に応用した例：図８］
説明にあっては、風防部材は、図４に示す第１の実施形態の第４の構成例の風防部材２３及び図６に示す第２の実施形態の第２の構成例の風防部材２５を用いて説明する。
【０１２５】
図８に示すように、腕時計５０ａ、５０ｂは、外装ケース５１の内部にムーブメント５２を搭載している。ムーブメント５２は、文字板５２ａと時刻を計時する指針５２ｂ、図示はしないが電子回路及び指針５２ｂを駆動する機械駆動機構や電池などからなる。
【０１２６】
外装ケース５１の上部に、カバーガラスとして風防部材が装着されている。
図８（ａ）に示す例は、図４に示す第１の実施形態の第４の構成例の風防部材２３を、透明基材１が腕時計の表面に向くようにして装着した例である。
図８（ｂ）に示す例は、図６に示す第２の実施形態の第２の構成例の風防部材２５を、反射防止膜１０が腕時計の表面に向くようにして装着した例である。
【０１２７】
図８に示す、風防部材２３を構成する透明導電膜３や、風防部材２５を構成する透明導電膜３、４と、外装ケース５１に搭載されるムーブメント５２との電気的な接続は、一般的によく知られる、図示しない給電ピン等を用いてなされている。
【０１２８】
図８（ａ）に示すように、腕時計５０ａは、透明導電膜３をアンテナとし、図示しない外装ケース５１に嵌合する裏蓋をＧＮＤの電位を供給する電極とすれば、例えばＧＰＳ衛星等を用いた衛星測位システムや標準電波等を用いた時刻修正システム用の電波を受信することができる。このような腕時計５０ａは、所謂、電波修正時計と呼ばれている。
【０１２９】
図８（ｂ）に示す例では、腕時計５０ｂは、透明導電膜３をアンテナとし、透明電極４をＧＮＤの電位を供給する配線としており、このようにしても電波修正時計を構成できる。
【０１３０】
なお、すでに説明したように、腕時計の金属ケースや金属バンドをＧＮＤとして使用すると、ＧＮＤの電位が安定しなくなることがある。図８（ａ）に示す腕時計５０ａも図示しない裏蓋をＧＮＤ電位を供給する電極としているが、その場合でも、外装ケース５１のサイズを大きくしたり、外装ケース５１や図示しない裏蓋をより導電性のよい金属材料で構成すれば、ＧＮＤの電位をより安定させることができる。
【０１３１】
また、図８（ａ）に示す例は、風防部材の表面が透明基材となっているため、不測の事態が起き、風防部材に他の物体が衝突するようなことがあったとしても、アンテナとして機能する透明導電膜３の断線や反射防止膜１０が損傷を受けることはないというメリットもある。
【０１３２】
図８（ｂ）に示す腕時計５０ｂは、透明導電膜３を、電波を受信する電極とし、透明導電膜４をＧＮＤとしているので、この風防部材２５がどのような材質からなる腕時計に搭載しても、この風防部材２５だけでアンテナとしての機能を構成できる。これにより、外装ケース５１をプラスチックとし、カラフルに着色することもできるので、腕時計５０ｂを軽く美しい腕時計とすることができる。
【０１３３】
このように、腕時計に対してどのような風防部材を用いるかは、その腕時計の性能やデザインなどにより自由に選択するものである。
【０１３４】
風防部材２３、２５をこのような腕時計５０ａ、５０ｂに用いると、カバーガラスとして機能する風防部材２３、２５は、良好な受信アンテナとして機能すると共に、そのアンテナが殆ど見えず、しかも色味が無く、透明度の高いカバーガラスとすることができる。そして、そのような腕時計５０ａ、５０ｂは装飾品としての価値を高めるものである。
【０１３５】
［携帯型情報機器に応用した例：図９］
図９に示すように、携帯型情報機器６０は、外装ケース６１の内部に電子回路６２が組み込まれ固定されており、その上部にカバーガラスとして風防部材２５が装着されている。
携帯型情報機器６０は、例えば液晶表示装置のような表示手段の透明部分を触ることで情報の入力が可能な、所謂タッチパネルを備える情報端末である。
【０１３６】
電子回路６２には、例えば図示しない液晶表示装置を駆動する電子回路とタッチパネルを駆動する電子回路などで構成しており、外装ケース６１の内部には、図示はしないが、このような電子回路６２の動力源となる電池も搭載されている。
【０１３７】
風防部材２５を構成する透明導電膜３は、タッチパネル用のマトリックス電極として、
透明基材１の表面側に所定の形状で構成しており、透明導電膜４は、透明基材１の裏面側に所定の形状で構成している。これら透明導電膜３、４と電子回路６２との電気的な接続は、図示しない給電ピン等を用いてなされる、一般的な構成である。
【０１３８】
風防部材２５をこのような携帯型情報機器６０に用いると、カバーガラスとして機能する風防部材２５は、情報の表示と入力とを行えると共に、そのタッチパネル用の配線が殆ど見えず、しかも色味が無く、透明度の高いカバーガラスとすることができる。そして、そのような携帯型情報機器６０は情報を正確に読み取ることができる機器として、その価値を高めるものである。
【０１３９】
以上、説明した風防部材２３、２５を用いた応用可能な分野はこれに限定されず、目的を同一とする他の分野にも応用できる。また、反射防止膜１０、１１は透過特性を変えても良い。また、透明基材に配設する各膜（透明導電膜、反射防止膜、光学調整層）の積層順はこれに限定されず、必要に応じて変えても良い。
【産業上の利用可能性】
【０１４０】
本発明は、透明導電膜を備えた風防部材を用いる用途、例えば時計や電子機器に適用することができる。特に美しさに価値を見い出す装飾品や情報を正しく読み取る必要がある電子機器の風防部材として好適である。
【符号の説明】
【０１４１】
１  透明基材
２、３、３０、３１、３２、透明導電膜
１０、１１  反射防止膜
１５  空隙部
１６、１６０、１６１、１６２      絶縁膜
１７  光学調整層
２０、２１、２２、２３、２４、２５      風防部材
４０  透明導電膜の透過特性
４１  反射防止膜の透過特性
４２  風防部材の透過特性
Ｗ  可視光の波長領域
５０ａ、５０ｂ  腕時計
５１、６１  外装ケース
５２  ムーブメント
６０  携帯型情報機器
６２  電子回路
【図１】
2016090457.tif 000003
【図２】
2016090457.tif 000004
【図３】
2016090457.tif 000005
【図４】
2016090457.tif 000006
【図５】
2016090457.tif 000007
【図６】
2016090457.tif 000008
【図７】
2016090457.tif 000009
【図８】
2016090457.tif 000010
【図９】
2016090457.tif 000011
【図１０】
2016090457.tif 000012